(57)【要約】【課題】必要に応じて肘掛けを跳ね上げて側方を開放する。【解決手段】左右の框３１および左右の框３１の上端部にわたって架設された笠木３２からなる背当て３を座部２に設けた椅子において、前記背当て３を構成する左右の框３１にホルダ４がそれぞれ固定されるとともに、各ホルダ４に軸支部６を介して肘掛け５がそれぞれ回動自在に軸支される。そして、肘掛け５がホルダ４に対して略水平状態に支持され、また、略水平状態から任意の回動角度位置に保持される。【選択図】図２
2005058567.tif 000002
【特許請求の範囲】
【請求項１】
左右の框および左右の框の上端部にわたって架設された笠木からなる背当てを設けた椅子において、前記背当てを構成する左右の框にホルダがそれぞれ固定されるとともに、各ホルダに軸支部を介して肘掛けがそれぞれ回動自在に軸支されてなり、肘掛けがホルダに対して略水平状態に支持され、また、略水平状態から任意の回動角度位置に保持されることを特徴とする椅子の肘掛け構造。
【請求項２】
前記肘掛けは、肘掛け本体と、肘掛け本体の下面に固定されたアームと、アームにそれぞれ回動自在に軸支されたレバーおよびフックと、レバーおよびフックにわたって連結された連結バーと、からなり、また、前記ホルダに、アームを支持する支持部が一体に設けられるとともに、フックを係合可能な係合部が形成され、フックに設けた弾性部材の付勢力により、フックが係合部に係合する方向に付勢されていることを特徴とする請求項１記載の椅子の肘掛け構造。
【請求項３】
前記軸支部は、ホルダの軸穴およびアームの軸穴にわたって挿通されたブッシュと、ホルダの一方側軸穴を通してブッシュに挿通されたナットと、ホルダの他方側軸穴を通してブッシュに嵌挿された樹脂製の調整スペーサーと、調整スペーサを通してブッシュに挿通され、ナットにねじ込まれたボルトと、ブッシュに嵌挿されて、ホルダの内面およびアームの外面間に配置された樹脂製のスペーサーと、から構成されいることを特徴とする請求項１記載の椅子の肘掛け構造。
【発明の詳細な説明】
【技術分野】
【０００１】
本発明は、椅子の肘掛け構造に関するものである。
【背景技術】
【０００２】
一般に、トイレ室での用便が困難な場合には、ポータブルトイレが使用される。このようなポータブルトイレは、中央に開口部が形成された天板および天板の周縁に垂設された周壁からなるトイレ本体を合成樹脂によって一体に成形したものであり、持ち運びできるように構成されている。そして、天板の開口部を通して内部に挿入された汚物ポットを天板に支持するようにしている。
【０００３】
このようなポータブルトイレにおいても、腰掛け動作や立ち上がり動作の負担を軽減したり、あるいは、背中を支持する必要性から、肘掛けや背当てが設けられることが好ましい。このため、座部の天板に肘掛けや背当てを設け、用便時以外には、椅子としても使用可能な家具調ポータブルトイレが提供されるようになっている（例えば、特許文献１参照）。
【特許文献１】実用新案登録第２５４７４７９号公報
【発明の開示】
【発明が解決しようとする課題】
【０００４】
ところで、前述した家具調ポータブルトイレにおいては、肘掛けが固定されており、使用者が側方からポータブルトイレに移乗しようとしても、肘掛けが邪魔になって乗り移ることができないものである。例えば、ベッドなどからポータブルトイレに乗り移る場合、ベッドなどと平行にポータブルトイレを配置し、ポータブルトイレの側方から乗り移ることができれば、介助者の労力も少なく、また、使用者の負担も少なくなるが、肘掛けが固定されているため、側方からの移乗は不可能である。このため、使用者は、介助者の手助けによってポータブルトイレの前方にいったん回り込み、向きを変えて腰掛け動作をとらなければならず、使用者の負担が大きくなる。この場合、使用者の体力が低下しているために、全面的に介助者の手助けを必要とする場合には、介助者に大きな労力を強いるものとなる。
【０００５】
本発明は、このような問題点に鑑みてなされたもので、必要に応じて肘掛けを跳ね上げて側方を開放することのできるポータブルトイレの肘掛け構造を提供するものである。
【課題を解決するための手段】
【０００６】
本発明は、左右の框および左右の框の上端部にわたって架設された笠木からなる背当てを設けた椅子において、前記背当てを構成する左右の框にホルダがそれぞれ固定されるとともに、各ホルダに軸支部を介して肘掛けがそれぞれ回動自在に軸支されてなり、肘掛けがホルダに対して略水平状態に支持され、また、略水平状態から任意の回動角度位置に保持されることを特徴とするものである。
【０００７】
本発明によれば、背当ての框に固定されたホルダに対して肘掛けを略水平状態に支持することができるとともに、略水平状態から跳ね上げて回動させることができる。この際、肘掛けは、任意の回動角度位置に自然落下することなく保持される。このため、椅子の側方を開放することができ、開放された側方から移乗することができる。
【０００８】
本発明において、前記肘掛けは、肘掛け本体と、肘掛け本体の下面に固定されたアームと、アームにそれぞれ回動自在に軸支されたレバーおよびフックと、レバーおよびフック
にわたって連結された連結バーと、からなり、また、前記ホルダに、アームを支持する支持部が一体に設けられるとともに、フックを係合可能な係合部が形成され、フックに設けた弾性部材の付勢力により、フックが係合部に係合する方向に付勢されていると、肘掛けを通常ホルダの支持部に支持することができ、その際、フックが弾性部材を介してホルダの係合部に係合し、肘掛けの回動が規制されている。したがって、使用者は、腰掛け動作や立ち上がり動作に際して、支持部に支持されるとともに、その位置に保持されている肘掛けを利用することができる。
【０００９】
一方、レバーを把握して弾性部材の付勢力に抗してフックをホルダの係合部から離脱させれば、肘掛けの回動が許容される。この状態で、肘掛けを把握して上方に持ち上げることにより、肘掛けを跳ね上げて側方を開放することができる。したがって、肘掛けを跳ね上げることによって開放された側方から座部に移乗させることができる。
【００１０】
本発明において、前記軸支部は、ホルダの軸穴およびアームの軸穴にわたって挿通されたブッシュと、ホルダの一方側軸穴を通してブッシュに挿通されたナットと、ホルダの他方側軸穴を通してブッシュに嵌挿された樹脂製の調整スペーサーと、調整スペーサを通してブッシュに挿通され、ナットにねじ込まれたボルトと、ブッシュに嵌挿されて、ホルダの内面およびアームの外面間に配置された樹脂製のスペーサーと、から構成されいると、ボルトをねじ込んで調整スペーサーを追い込むことにより、調整スペーサーとスペーサを介して肘掛けのアームとの摩擦抵抗を調整することができる。したがって、肘掛けを上方に跳ね上げた際、任意の回動角度位置において、肘掛けを自然落下することなく保持することができる。
【発明の効果】
【００１１】
本発明によれば、必要に応じて肘掛けを跳ね上げて側方を開放することができ、開放された側方から移乗することができる。
【発明を実施するための最良の形態】
【００１２】
以下、本発明の実施の形態を図面を参照して説明する。
【００１３】
図１には、本発明の肘掛け構造を有するポータブルトイレ１の一実施形態が示されている。
【００１４】
このポータブルトイレ１は、開口部が形成された座板（図示せず）および座板の周縁に垂設された周壁２１を有する座部２と、座部２の周壁２１に設けられた背当て３と、背当て３に固定されたホルダ４と、ホルダ４に軸支部６を介して回動自在に軸支された肘掛け５と、からなり、主に木材によって家具調に形成されている。
【００１５】
なお、詳細には図示しないが、座板の後端には、ヒンジ金具を介して便座が回動自在に軸支されるとともに、便座を覆って座板にシートが載置されている他、座板の開口部の周縁には、図示しない汚物ポットが支持されている。
【００１６】
また、周壁２１を構成する左右の側壁２１には、支持脚２２が高さを調整自在に設けられている。
【００１７】
ところで、背当て３は、座部２の周壁２１に固定された左右一対の框３１と、左右の框３１の上端部間にわたって固定された笠木３２と、笠木３２に取り付けられたクッション３３とからなり、各框３１の外側面にホルダ４が固定されている。
【００１８】
ホルダ４は、略Ｕ字状に形成され、その左右外面間を貫通して軸穴４ａが形成されてい
る。そして、ホルダ４の下部には、肘掛け５のアーム５２の基端部に合致する形状の支持部４１が一体に設けられ、支持部４１の下面側には、肘掛け５のフック５４を係合可能な係合部４２（図２参照）が形成されている。
【００１９】
肘掛け５は、図２および図４に示すように、肘掛け本体５１と、肘掛け本体５１の下面に固定され、基端部に軸穴５２ａが形成されたアーム５２と、アーム５２の先端部に回動自在に軸支されたレバー５３と、アーム５２の基端部近傍に回動自在に軸支されたフック５４と、レバ５３ーとフック５４にわたって連結された連結バー５５と、アーム５２に対するフック５４の軸支部に設けられた弾性部材、具体的には、ねじりコイルバネ５６と、からなり、肘掛け５のアーム５２の基端部が、ホルダ４の支持部４１に支持された際、ホルダ４の軸穴４ａと、アーム５２の軸穴５２ａが同心上に位置するように設定されている。このため、後述するように、肘掛け５をホルダ４に軸支部６を介して軸支した際、肘掛け５をホルダ４の支持部４１にほぼ水平状態で支持することができる。
【００２０】
ここで、フック５４は、ねじりコイルバネ５６の付勢力により、ホルダ４の係合部４２に係合する方向に付勢されている。
【００２１】
なお、肘掛け本体５１は、適当な剛性を有する材料であって、例えば、寒冷時に使用者が触れても冷たく感じない程度に熱伝導率の低い、木材やプラスチックなどによって形成されることが好ましい。また、この肘掛け本体５１の表面は、エラストマーやプラスチック発泡体、合成皮革等のクッション性を有する素材によって被覆されてもよい。
【００２２】
また、ホルダ４に対する肘掛け５の軸支部６は、図３および図４に詳細に示すように、ホルダ４の軸穴４ａおよび肘掛け５のアーム５２の軸穴５２ａにわたって嵌挿されたブッシュ６１と、ホルダ４の一方側軸穴４ａからブッシュ６１にワッシャ６２を介在して挿通されたナット６３と、ホルダ５の他方側軸穴５ａからブッシュ６１に嵌挿された樹脂製の調整スペーサー６６と、調整スペーサ６６を通してブッシュ６１にワッシャ６２を介在して挿通され、ナット６３にねじ込まれたボルト６４と、ブッシュ６１に嵌挿されて、ホルダ４と肘掛け５とが直接接触しないように、ホルダ４の内面および肘掛け５のアーム５２の外面間に配置された樹脂製のスペーサー６５と、から構成されている。
【００２３】
この場合、ブッシュ６１の外径は、ホルダ４の一方側軸穴４ａおよび肘掛け５のアーム５２の軸穴５２ａの穴径に設定されている。また、調整スペーサー６６は、フランジを有し、その穴径は、ブッシュ６１の外径に設定されるとともに、外径は、ホルダ４の他方側軸穴５ａの穴径に設定されている。すなわち、ホルダ４に形成された軸穴４ａは、一方がブッシュ６１の外径に対応して形成され、他方が調整スペーサー６６の外径に対応して形成されている。さらに、ホルダ４の左右内面間の間隔は、肘掛け５のアーム５２の左右外側面間の間隔と２枚のスペーサー６５の厚みの和よりも大きく設定されている。
【００２４】
なお、ホルダ４の、背当て３の框３１に接触することになる外面側には、ナット６３の頭部とワッシャ６２を収容する凹部が一方側軸穴４ａの周囲に形成されている（図３参照）。
【００２５】
したがって、ホルダ４の支持部４１に、両外側面にスペーサ６５を配置した肘掛け５のアーム５２の基端部を支持した後、ホルダ４の軸穴４ａおよび肘掛け５のアーム５２の軸穴５２ａにわたってブッシュ６１を挿通する一方、ホルダ４の一方側軸穴４ａを通してワッシャ６２を嵌挿したナット６３を挿入し、ブッシュ６１に挿通させる。また、ホルダ４の他方側軸穴４ａを通して調整スペーサ６６を挿入してブッシュ６１に嵌挿させるとともに、調整スペーサ６６を通してワッシャ６２を嵌挿したボルト６４をブッシュ６１に挿通し、ボルト６４をナット６３にねじ込むことにより、ホルダ４に肘掛け５を回動自在に軸
支することができる。この後、肘掛け５を軸支したホルダ４を背当て３の框３１の外面に取り付ければよい。
【００２６】
この状態では、フック５４は、ねじりコイルバネ５６の付勢力により、ホルダ４の係合部４２に係合しており、肘掛け５の跳ね上げは規制されている。
【００２７】
一方、肘掛け５を跳ね上げて側方を開放するには、レバー５３を把握し、肘掛け本体５１との間隔を小さくするように、ねじりコイルバネ５６の付勢力に抗して引き上げれば、図５に示すように、連結バー５５を介してフック５４をその軸支部について時計回り方向に回動させることができ、フック５４をホルダ４の係合部４２から離脱させることができる。次いで、レバー５３を把握したまま、肘掛け５を上方に持ち上げれば、肘掛け５のアーム５２は、軸支部６のブッシュ６１回りに回動し、上方に跳ね上げることができる。したがって、肘掛け５を後方に跳ね上げることにより、ポータブルトイレ１の側方を開放することができ、開放された側方から使用者を移乗させることができる。
【００２８】
なお、ボルト６４をねじ込んで調整スペーサー６６を追い込むことにより、調整スペーサー６６とスペーサ６５を介して肘掛け５のアーム５２との摩擦抵抗を調整することができる。すなわち、肘掛け５をホルダ４の支持部４１に支持されたほぼ水平状態から後方に向けて上方に跳ね上げた際、肘掛け５のアーム５２が調整スペーサー６６に対する摩擦抵抗により自然落下することなく保持されるように、摩擦抵抗を調整することができる。また、肘掛け５を跳ね上げた位置から調整スペーサー６６に対する摩擦抵抗に抗して水平位置へと回動させることができる。この際、肘掛け５のアーム５２の基端部がホルダ４の支持部４１に支持されることから、肘掛け５は、水平状態に保持される。
【００２９】
また、ホルダ４と肘掛け５との間にスペーサー６５が配設されていることにより、両者が直接接触することがなく、両者が直接接触することに伴う金属音や磨耗の発生を確実に防止することができる。また、肘掛け５に対する調整スペーサー６６の摩擦抵抗を調整することができることから、ホルダ４の左右内面間の間隔に対して、肘掛け５のアーム５２の左右外面間の間隔を小さく設定することができ、ホルダ４に対する肘掛け５の取付作業を短時間に、かつ、容易に行うことができる。
【００３０】
なお、本発明の実施形態においては、家具調ポータブルトイレ１の肘掛け５に適用した場合を説明したが、ポータブルトイレに用いる肘掛けに限らず、家具としての椅子にも適用することができる。
【００３１】
また、椅子としては、座板および座板の周縁に垂設された周壁によって座部を形成し、この座部に背当てを設けて構成した場合を例示したが、側壁部と框部とを一体に有するように切り出された一対の板材間に、開口部を形成した座板、前壁、後壁および笠木を連結して椅子を構成してもよい。
【産業上の利用可能性】
【００３２】
以上説明したように、本発明の椅子の肘掛け構造によれば、必要に応じて肘掛けを跳ね上げて側方を開放することができるため、椅子の使用形態を拡大することが可能となる。
【図面の簡単な説明】
【００３３】
【図１】本発明のポータブルトイレの肘掛け構造を示す側面図である。
【図２】図１の肘掛け構造を一部破断して示す側面図である。
【図３】図２のＡ−Ａ線断面図である。
【図４】図２の肘掛け構造の分解斜視図である。
【図５】図２の肘掛け構造において、フックを離脱させた状態を示す側面図である。
【符号の説明】
【００３４】
１  ポータブルトイレ
２  座部
３  背当て
３１  框
３２  笠木
４  ホルダ
４ａ  軸穴
４１  支持部
４２  係合部
５  肘掛け
５１  肘掛け本体
５２  アーム
５３  レバー
５４  フック
５５  連結バー
６  軸支部
６１  ブッシュ
６３  ナット
６４  ボルト
６５  スペーサ
６６  調整スペーサ
【図１】
2005058567.tif 000003
【図２】
2005058567.tif 000004
【図３】
2005058567.tif 000005
【図４】
2005058567.tif 000006
【図５】
2005058567.tif 000007